(57)【特許請求の範囲】
【請求項１】
地盤の洗掘を防止する養生シートであって、
地盤の表面に被せられるシート本体と、
このシート本体に設けられて、シート本体を補強する補強部材と、
前記シート本体の側縁部及び中央部に設けられて、シート本体を貫通する貫通孔と、
この貫通孔の内側に、該貫通孔の周縁部から離間して配置されたリングと、
このリングと前記貫通孔の周縁部とを接続して前記リングを支持する支持部材とを備え、
前記リングの外周縁部と前記貫通孔の周縁部との間には、前記シート本体を貫通する開口部が設けられていることを特徴とする養生シート。
【請求項２】
請求項１記載の養生シートにおいて、
前記支持部材は、前記補強部材の一部が前記貫通孔内に突出するとともに前記リングに接続されることによって構成されていることを特徴とする養生シート。
【発明の詳細な説明】
【０００１】
【発明の属する技術分野】
本発明は、養生シートに関する。
【０００２】
【従来の技術】
大雨等の災害時に法面が崩れた場合は、雨水によるさらなる洗掘防止のため、応急処置として崩れた箇所に養生シートを敷設するのが一般的である。例えば、特開２００１−３０３５７５号公報には、養生シートの一例が開示されている。この養生シートは、シートに取り付けられたロープの先端の固定ピンでシートの側部の先端側を地盤に固定するものである。
ところで、災害後、現地調査や詳細設計には時間を要するため、崩れた法面は復旧工事が実施されるまで数ヶ月間にわたって養生シートによって養生される。
【０００３】
【発明が解決しようとする課題】
しかし、養生シートは、その側縁部だけが補強されているため、側縁部以外は強度が弱く、強風により養生シートが破損するおそれがあった。また、この養生シートを固定しているのは養生シートの側縁部に挿通されたアンカーピンのみであり、これだけでは養生シートが強風により吹き飛ばされるので、養生シート上に土嚢やネットを載置する必要があった。また、養生シートの敷設期間が長引くと、地盤への雨水の供給が不足し、養生シート下の植物が枯れてしまうという問題があった。
【０００４】
そこで、本発明の課題は、強風に耐え得る強度を有するとともに、養生シート上に土嚢やネットを載置することなく地盤に強固に固定でき、地盤への雨水の供給を可能とした養生シートを提供することである。
【０００５】
【課題を解決するための手段】
上記課題を解決するため、請求項１記載の発明は、例えば、図１〜４に示すように、地盤の洗掘を防止する養生シート１０であって、地盤の表面に被せられるシート本体１と、このシート本体１に設けられて、シート本体１を補強する補強部材２と、前記シート本体１の側縁部及び中央部に設けられて、シート本体１を貫通する貫通孔３と、この貫通孔３の内側に、該貫通孔３の周縁部から離間して配置されたリング４と、このリング４と前記貫通孔３の周縁部とを接続して前記リング４を支持する支持部材５とを備え、前記リング４の外周縁部と前記貫通孔３の周縁部との間には、前記シート本体１を貫通する開口部６が設けられていることを特徴とする。
【０００６】
請求項１記載の発明によれば、リングの外周縁部と貫通孔の周縁部との間には、シート本体を貫通する開口部が設けられているので、雨水はその開口部を伝って地盤に浸透する。よって、養生シートを敷設したままでも地盤への雨水の供給が可能となる。また、養生シートは、シート本体の側縁部及び中央部に貫通孔が形成され、この貫通孔の内側に、貫通孔の周縁部から離間してリングが配置され、支持部材がリングと貫通孔の周縁部とを接続してリングを支持するので、従来のように養生シートを側縁部だけでなく、中央部からも、例えばアンカーピンによって地盤に固定できる。よって、養生シート上に土嚢やネットを載置しなくても養生シートを地盤に強固に固定できる。さらに、シート本体には補強部材が設けられているため、シート本体の強度を向上でき、強風に耐え得る養生シートにすることができる。
【０００７】
請求項２記載の発明は、例えば、図５に示すように、請求項１記載の養生シート１０において、前記支持部材５は、前記補強部材２の一部が前記貫通孔３内に突出するとともに前記リング４に接続されることによって構成されていることを特徴とする。
【０００８】
請求項２記載の発明によれば、支持部材は、補強部材の一部が貫通孔内に突出するとともにリングに接続されることによって構成されているので、別途支持部材を設ける必要がなく、養生シートを簡単な構造とすることができる。
【０００９】
【発明の実施の形態】
以下、図面を参照して本発明に係る実施の形態の養生シートについて詳細に説明する。
図１に示すように、養生シート１０は、大雨等の災害時に法面が崩れた場合に、雨水によるさらなる洗掘防止のため、応急処置として敷設されるものであり、シート本体１、補強ワイヤ（補強部材）２、貫通孔３、リング４、支持部材５等を備えている。
【００１０】
シート本体１は、例えば、柔軟性に富み、遮水性を有するビニール等の材料から形成された矩形状のシートであり、このシート本体１の内部には補強ワイヤ２がシート本体１の柔軟性を損なわない程度の量で格子状に張り巡らされている。また、シート本体１は自然に調和させるために地盤とほぼ同じ色のものを用いるのが好ましい。
【００１１】
シート本体１の側縁部及び中央部には、表面から裏面に貫通するように適当な間隔で複数の貫通孔３が形成されている。なお、図１において、貫通孔３の大きさは自由に決めることができる。
この貫通孔３内には、図２に示すように、貫通孔３の周縁部から離間した位置に、金属性のリング４が設けられている。また、貫通孔３とリング４とはシート本体１の支持部材５にて接続されており、リング４はシート本体１とほぼ同一平面上に位置している。なお、支持部材５は、布片等のようにシート本体１と異なる材料を用いてもよい。このとき、貫通孔３の周縁部とリング４の外周縁部との間の支持部材５以外の部分は、開口された状態となっており、ここが雨水を通す開口部６として機能する。
【００１２】
以上の構成で形成された養生シート１０は、例えば、土砂崩れがあった道路脇の法面等に敷設される。養生シート１０を敷設するには、図３に示すように、地盤上に養生シート１０を広げ、各貫通孔３内のリング４を介して地盤にアンカーピン７を挿通する。なお、アンカーピン７は養生シート１０を支持するのに十分な長さに形成され、かつ、その上端部はリング４の内径より大きく形成されており、容易に抜けないものとなっている。なお、複数の養生シート１０を隙間なく敷設する際には、隣接する養生シート１０のリング４を重ね合わせ、両リング４にアンカーピン７を挿通すればよい。
【００１３】
次に、養生シート１０の敷設後に強風が吹いたり、雨が降ったときの養生シート１０の作用について説明する。
養生シート１０に強風が吹きつけると、養生シート１０と地盤との間に風が入り込み、養生シート１０を持ち上げようとする。従来であれば、養生シート１０は、その側縁部のみで地盤に固定されていたため、アンカーピン７が養生シート１０を支持する力が風の力に負けてアンカーピン７が外れ、養生シート１０が吹き飛ばされるが、本発明においては、養生シート１０の中央部でも地盤に固定されているため、アンカーピン７が養生シート１０を支持する力の方が風の力より強く、養生シート１０は吹き飛ばされない。また、シート本体１の内部に張り巡らされた補強ワイヤ２が養生シート１０の剛性を高めるとともに、補強ワイヤ２がシート本体２のおもりとなるため、従来に比べて風の影響を受けにくくなる。
【００１４】
また、養生シート１０上に雨が降った場合、シート本体１は遮水性を有するため、養生シート１０上の雨水が地盤に浸透するのを遮断する。しかし、養生シート１０には開口部６が形成されているため、雨水は開口部６を伝って養生シート１０下の地盤へ浸透する。この開口部６から地盤に浸透する雨水は少量であるため、養生シート１０下の植物に適度な水分を与えながらも、地盤を洗掘することがなくなる。
【００１５】
本実施の形態の養生シート１０によれば、リング４と貫通孔３の周縁部との間には、シート本体１を貫通する開口部６が設けられているので、雨水はその開口部６を伝って地盤に浸透する。よって、養生シート１０を敷設したままでも地盤への雨水の供給が可能となる。また、シート本体１の側縁部及び中央部に貫通孔３が形成され、この貫通孔３の内側に、貫通孔３の周縁部から離間して配置されて、アンカーピン７が挿通されるリング４が設けられ、支持部材５がリング４と貫通孔３の周縁部とを接続してリング４を支持するので、従来のように養生シート１０を側縁部だけでなく、中央部からもアンカーピン７によって地盤に固定できる。よって、養生シート１０上に土嚢やネットを載置しなくても、養生シート１０を地盤に強固に固定できる。さらに、シート本体１には補強ワイヤ２が設けられているため、シート本体１の強度を向上でき、強風に耐え得る養生シート１０にすることができる。
【００１６】
さらに、この養生シート１０は、貫通孔３内を利用して開口部６が形成されており、貫通孔３を形成してリング４を取り付けるのと同時に開口部６を形成できるため、リング４の取り付け後に開口部６を形成する必要はなくなり、容易に養生シート１０を作成できる。
【００１７】
なお、本発明は、上述の実施の形態に限定されるものではない。
例えば、図４に示すように、貫通孔３の周縁部とリング４の外周縁部との間に設けられた網５ａを支持部材５とし、この網５ａによってリング４を支持するとともに、網５ａ全体を開口部６としてもよい。
また、図５に示すように、シート本体１に敷設された補強ワイヤ２の一部が貫通孔３内に突出するように貫通孔３を形成し、この補強ワイヤ２の一部を支持部材５として用いてもよい。これにより、別途支持部材５を設ける必要がなく、簡単な構造とすることができる。
さらに、シート本体として植物の種子を備え付けた植生シートを用いてもよい。また、養生シートがシート下の植物の成長を阻害しないよう、シート本体として生分解性シートを用いてもよい。
その他、シート本体の材質、補強部材の材質、補強部材の敷設方法、リングの形状等は発明の要旨を逸脱しない範囲内で設計変更が可能である。
【００１８】
【発明の効果】
請求項１記載の発明によれば、養生シートには開口部が設けられているため、養生シートを敷設したままでも地盤への雨水の供給が可能となる。また、シート本体には補強部材が設けられているため、シート本体の強度を向上でき、強風に耐え得る養生シートにすることができる。さらに、従来のように養生シートを側縁部だけでなく、中央部からも地盤に固定できる。よって、養生シート上に土嚢やネットを載置しなくても、養生シートを地盤に強固に固定できる。
【００１９】
請求項２記載の発明によれば、支持部材は、補強部材の一部が貫通孔内に突出するとともにリングに接続されることによって構成されているので、別途支持部材を設ける必要がない。
【図面の簡単な説明】
【図１】本発明の実施の形態における養生シートを説明するための平面図である。
【図２】上記実施の形態における養生シートの固定箇所を説明するための平面図である。
【図３】上記実施の形態における養生シートを地盤に敷設した際の断面図である。
【図４】上記実施の形態における養生シートの固定箇所の他の例を説明するための平面図である。
【図５】上記実施の形態における養生シートの固定箇所の他の例を説明するための平面図である。
【符号の説明】
１      シート本体
２      補強部材
３      貫通孔
４      リング
５      支持部材
６      開口部
７      アンカーピン
１０    養生シート
【図１】
0003898553.tif 000002
【図２】
0003898553.tif 000003
【図３】
0003898553.tif 000004
【図４】
0003898553.tif 000005
【図５】
0003898553.tif 000006